(57)【要約】【課題】おむつの着用操作時に、下着のパンツに近い良好な感触が得られる、パンツ型使い捨ておむつを提供すること。【解決手段】吸収性コアを含む吸収性本体２と、該吸収性本体２の非肌当接面側に位置して該吸収性本体２を固定している外装体３とを具備し、腹側部の両側縁部と背側部の両側縁部とが接合されてウエスト開口部及び一対のレッグ開口部が形成されているパンツ型使い捨ておむつ１であり、ウエスト開口部の周縁部に、外装体を構成する２枚のシート間に複数本のウエスト弾性部材４１が配された構成を有するウエスト弾性伸縮部４を有しており、腹側部Ａ及び／又は背側部Ｂにおける該ウエスト弾性伸縮部よりも股下部側に、前記２枚のシート間が散点状に形成された多数の接合部５２で部分的に接合されており且つ弾性部材が配されていないパターン接合部５を有する。【選択図】図３
2011015821.tif 000002
【特許請求の範囲】
【請求項１】
吸収性コアを含む吸収性本体と、該吸収性本体の非肌当接面側に位置して該吸収性本体を固定している外装体とを具備し、腹側部の両側縁部と背側部の両側縁部とが接合されてウエスト開口部及び一対のレッグ開口部が形成されているパンツ型使い捨ておむつであって、
ウエスト開口部の周縁部に、外装体を構成する２枚のシート間に複数本のウエスト弾性部材が配された構成を有するウエスト弾性伸縮部を有しており、
腹側部及び／又は背側部における該ウエスト弾性伸縮部よりも股下部側に、前記２枚のシート間が散点状に形成された多数の接合部で部分的に接合されており且つ弾性部材が配されていないパターン接合部を有する、パンツ型使い捨ておむつ。
【請求項２】
前記ウエスト弾性伸縮部には、少なくとも複数本が、おむつ縦方向に直列した複数の第２接合部からなる縦接合部列がおむつ幅方向に間隔を開けて複数列形成されており、自然状態において、縦接合部列間に複数本のウエスト弾性部材に亘って連続して延びる襞が形成されるようになされている、請求項１記載のパンツ型使い捨ておむつ。
【請求項３】
前記ウエスト弾性部材は、おむつ縦方向に隣接した第２接合部間に、該両接合部に固定されないように配されている、請求項２記載のパンツ型使い捨ておむつ。
【請求項４】
前記パターン接合部に、おむつ縦方向に直列した複数の前記接合部からなる縦接合部列が、おむつ幅方向に間隔を開けて複数列形成されており、該パターン接合部における該縦接合部列と前記ウエスト弾性伸縮部における前記縦接合部列とが、おむつ縦方向に一列をなすように形成されている、請求項２又は３記載のパンツ型使い捨ておむつ。
【請求項５】
前記パターン接合部における前記接合部は、複数個の接合部がおむつ幅方向に並んでなる横接合部列が、おむつ縦方向に間隔を設けて複数列形成されるように配置されている、請求項１〜４の何れかに記載のパンツ型使い捨ておむつ。
【発明の詳細な説明】
【技術分野】
【０００１】
本発明は、パンツ型使い捨ておむつに関する。
【背景技術】
【０００２】
従来、吸収性コアを含む吸収性本体と該吸収性本体の非肌当接面側に位置して該吸収性本体を固定している外装体とを備えたパンツ型使い捨ておむつにおいて、着用者に対するおむつのフィット性を向上させること等を目的に、腹側部及び背側部における胴回り部を弾性部材を周方向に配して胴回りギャザーが形成されるようにしたものが知られている（特許文献１参照）。
このような使い捨ておむつにおける胴回りギャザーは、複数本の弾性部材を、外装体を構成する２枚のシート間にそれぞれが全長に亘って接着剤等で固定されるように配し、それらの弾性部材の収縮によりシートに皺を形成させるようにしたものが一般的である。
【０００３】
これに対して、近年においては、胴回りギャザー形成用の弾性部材を、その全体又は一部が、外装体を構成する２枚のシートの一方又は双方に固着されないように配した使い捨ておむつも提案されている。
【０００４】
例えば、本出願人は、先に、胴回り部及びウエスト部に、胴回りギャザー及びウエストギャザーが設けられ、それらのギャザーは、弾性部材を挟む２枚のシートどうしの接合部が、伸縮方向及びそれに直交する方向の両方向に間欠的に配置されており、弾性部材が、その接合部と接合部との間を通るように配された、使い捨ておむつ等の吸収性物品を提案した（特許文献２参照）。
【０００５】
また、特許文献３には、液吸収パネルとその外側に位置する第１及び第２シートからなるベースシートとを備え、液吸収パネルを横切るように弾性部材が配されたパンツ型の使い捨て着用物品が記載されている。この使い捨て着用物品においては、ウエスト開口部の周縁部に配された弾性部材の直下に位置して第１及び第２シート間に介在する複数条の第１弾性部材と、第１弾性部材の直下に位置して第１及び第２シート間に介在する複数条の第２弾性部材とを有しており、第１及び第２弾性部材の両端部と第１弾性部材の中央部とが第１シートと第２シートの少なくとも何れか一方に固着にされ、第１及び第２弾性部材の残余部と第２弾性部材の中央部とが、第１シートと第２シートとから遊離している。そして、第１シートと第２シートとを固着する多数の固着部を、第１及び第２弾性部材の間に位置するように形成することが記載されている。
【先行技術文献】
【特許文献】
【０００６】
【特許文献１】特開平４−１６６１５０号公報
【特許文献２】特開２００８−１３１９６８号公報
【特許文献３】特開２００４−８９４０３号公報
【発明の概要】
【発明が解決しようとする課題】
【０００７】
ところで、パンツ型使い捨ておむつとしては、おむつ離れを促進するためのトイレットトレーニング用のおむつが知られており、トレーニングパンツと呼ばれることも多い。そのようなおむつにおいては、排尿したことを着用者が容易に認識できるようにしたり、外観を通常の下着のパンツに近いものとする等の工夫がなされている。
しかし、外装体を構成する２枚のシートの一方又は双方に接着剤をべた塗りして弾性部材を固定してギャザーが形成されるようにした場合には、当該部分の感触や外観は下着からは遠いものとなる。
また、おむつの着脱操作時に感じる風合いを改善できれば、トレーニングパンツに限らず、使い捨ておむつ全般においても利点となる。
【０００８】
また、引用文献２，３には、弾性部材とそれを挟む２枚のシートからなる弾性伸縮部の２枚のシート間を、伸縮方向及びその交差方向の両方向に離間配置された多数の接合部で部分的に固着することが開示されているが、引用文献２，３における接合部は、弾性部材の収縮によるシートの襞形成や弾性部材の移動防止のために設けられており、弾性部材を配しない領域の２枚のシート間をそのようなパターンで接合することについて何ら記載されていない。
【０００９】
従って、本発明は、おむつの着用操作時に感じる感触が向上されたパンツ型使い捨ておむつに関する。
【課題を解決するための手段】
【００１０】
本発明は、吸収性コアを含む吸収性本体と、該吸収性本体の非肌当接面側に位置して該吸収性本体を固定している外装体とを具備し、腹側部の両側縁部と背側部の両側縁部とが接合されてウエスト開口部及び一対のレッグ開口部が形成されているパンツ型使い捨ておむつであって、ウエスト開口部の周縁部に、外装体を構成する２枚のシート間に複数本のウエスト弾性部材が配された構成を有するウエスト弾性伸縮部を有しており、腹側部及び／又は背側部における該ウエスト弾性伸縮部よりも股下部側に、前記２枚のシート間が散点状に形成された多数の接合部で部分的に接合されており且つ弾性部材が配されていないパターン接合部を有する、パンツ型使い捨ておむつを提供するものである。
【発明の効果】
【００１１】
本発明のパンツ型使い捨ておむつは、おむつの着用操作時に、下着のパンツに近い良好な感触が得られる。
【図面の簡単な説明】
【００１２】
【図１】図１は、本発明の一実施形態であるパンツ型使い捨ておむつを示す斜視図である。
【図２】図２は、図１に示すおむつの展開且つ伸長状態を表面シート側から見た平面図である。
【図３】図３は、図１に示すおむつの展開且つ伸長状態を外装体側から見た平面図である。
【図４】図４は、図３のＩＶ−ＩＶ線断面図である。
【図５】図５は、図１に示すおむつのウエスト弾性伸縮部及びパターン接合部を、サイド部部分を拡大して示す模式拡大平面図（伸長状態）である。
【図６】図６は、着用状態におけるおむつの一部を示す斜視図である。
【図７】図７は、本発明の他の実施形態を示す断面図（図４相当図）である。
【図８】図８は、本発明に係る具体的な発明品の外観を示す、（ａ）正面図、及び（ｂ）背面図である。
【図９】図８に示す発明品の、（ａ）右側面図、（ｂ）平面図、（ｃ）底面図である。
【発明を実施するための形態】
【００１３】
以下、本発明のパンツ型使い捨ておむつを、その好ましい実施形態に基づき図面を参照しながら説明する。
【００１４】
本発明の一実施形態であるパンツ型使い捨ておむつ１は、図１及び図２に示すように、吸収性コア２３を含む吸収性本体２と吸収性本体２の非肌当接面側に位置して該吸収性本体２を固定している外装体３とを具備する。
図１及び図２に示すように、おむつ１は、腹側部Ａ、股下部Ｃ及び背側部Ｂを有しており、腹側部Ａの両側縁部Ａ１．Ａ２と背側部Ｂの両側縁部Ｂ１，Ｂ２とが接合されて一対のサイドシール部１１、ウエスト開口部１２及び一対のレッグ開口部１３が形成されている。おむつ１の腹側部Ａは、おむつ１の着用時に、着用者の腹側に配される部位であり、背側部Ｂは、着用者の背側に配される部位であり、股下部Ｃは、着用者の股間部に配される部位である。
【００１５】
吸収性本体２は、図２に示すように、外装体３の長手方向に長い形状を有しており、液透過性の表面シート２１、液不透過性又は撥水性の裏面シート２２及び両シート２１、２２間に介在配置された液保持性の吸収性コア２３を備えてなる。表面シート２１及び裏面シート２２は、それぞれ矩形状をなし、吸収性コア２３は、それよりやや小型で、矩形状ないし長手方向中央部がやや括れた矩形状をなし、両シート間に保持されている。
【００１６】
吸収性本体２の長手方向両側部には、図２に示すように、液抵抗性又は撥水性で且つ通気性の素材から構成された側方カフス２５、２５が設けられている。各側方カフス２５の自由端部近傍には、側方カフス弾性部材２６が伸長状態で配されている。側方カフス２５は、おむつの着用時に側方カフス弾性部材２６の収縮により自由端部側が起立し、吸収性本体２の幅方向への液の流出が阻止される。外装体３の長手方向は、腹側部Ａから股下部Ｃを経て背側部Ｂに亘る方向又はその逆方向であり、展開状態のおむつ１の長手方向（図中Ｙ方向）と同じである。
【００１７】
表面シート２１、裏面シート２２及び吸収性コア２３としては、それぞれ、従来からこの種のおむつに用いられているものと同様のものを用いることができる。例えば、吸収性コア２３としては、パルプ繊維等の繊維材料からなる繊維集合体又はそれに吸水性ポリマーの粒子を保持させたものを、ティッシュペーパ（図示せず）等の透水性被覆シートで被覆してなるものを用いることができる。繊維材料からなる繊維集合体は、積繊したウエブ、不織布、これらの積層体等であっても良い。
【００１８】
外装体３は、図３及び図４に示すように、外層シート３１、内層シート３２及び両シート３１，３２間に配設された複数の弾性部材３３Ａ，３３Ｂ，４１を備えている。外層シート３１は、おむつ１の最外面を形成し、内層シート３２は外層シート３１の内面側に配され、外層シート３１に部分的に接合されている。
【００１９】
吸収性本体２は、腹側部Ａ，股下部Ｃ及び背側部Ｂに亘って配されているが、吸収性本体２の長手方向端部は、外装体３の長手方向端部よりも長手方向内方に後退した位置にある。吸収性本体２は、例えば、裏面シート２２側の面（非肌当接面）が、接着剤、ヒートシール、超音波シール、これらの併用等の適宜の接合方法によって、おむつ１の幅方向中央部Ｍにおける内層シート３２側の面に接合されている。
【００２０】
外層シート３１は、ウエスト開口部１２の周縁端１２ａより延出する長さのシートを用いて形成されており、該シートは、内層シート３２の端部近傍を覆うように、ウエスト開口部１２の周縁端１２ａにおいておむつ１の内面側に折り返されている。この折り返された部分を、以下、外層シート３１の折り返し部分３５ともいう。
内層シート３２は、ウエスト開口部１２の周縁端１２ａより僅かに延出する長さのシートを用いて形成されており、該シートも、ウエスト開口部１２の周縁端１２ａにおいておむつ１の内面側に折り返されている。この折り返された部分を、以下、内層シート３２の折り返し部分３６ともいう。
外層シート３１の折り返し部分３５は、内層シート３２の折り返し部分３６に比して、周縁端１２ａから下端３５ａ，３６ａまでの距離が顕著に長い。
【００２１】
外層シート３１の折り返し部分３５は、内面シート３２の更におむつ内面側に配されており、図４に示すように、ホットメルト接着剤等の接着剤３７により部分的に内面シート３２のおむつ内面側の面に接合されている。
外層シート３１の折り返し部分３５及び内層シート３２の折り返し部分３６は、何れも、ウエスト開口部の周縁端１２ａから下端３５ａ，３６ａまでの距離及び内面シート３２への固定態様が、腹側部Ａ及び背側部Ｂそれぞれの幅方向（Ｘ方向）のサイドシール部近傍を除くほぼ全域に亘って同じであるが、吸収性本体２と重なる部分においては、外層シート３１の折り返し部３５の一部が、接着剤３７を介して該吸収性本体２の肌当接面側の面上に固定されている。
【００２２】
おむつ１は、図３に示すように、ウエスト開口部１２の周縁部に、外装体を構成する２枚のシート３１，３２間に複数本のウエスト弾性部材４１、４１・・が配された構成を有するウエスト弾性伸縮部４を有している。ウエスト開口部１２の周縁部は、腹側部Ａ及び背側部Ｂのそれぞれにおける、ウエスト開口部の周縁端１２ａから、股下部Ｃ側に６０ｍｍまでの範囲内である。
【００２３】
おむつ１においては、ウエスト弾性伸縮部４及び後述するパターン接合部５が、腹側部Ａ及び背側部Ｂのそれぞれに同様の態様で形成されており、以下においては、主として、腹側部Ａにおける、ウエスト弾性伸縮部４及びパターン接合部５について説明するが、背側部Ｂにおける、ウエスト弾性伸縮部４及びパターン接合部５も、おむつ１の長手方向を２等分するおむつ横方向中央線に対して線対称である以外は同様の構成を有している。
なお、腹側部Ａ及び背側部Ｂの何れか一方のみに、ウエスト弾性伸縮部４及びパターン接合部５が形成されていても良い。
【００２４】
ウエスト弾性伸縮部４に配されたウエスト弾性部材４１は、ウエスト開口部１２の周縁部に、所定の幅に分散させて複数本配されている。
ウエスト弾性部材４１は、腹側部Ａ及び背側部ＢそれぞれにおけるＹ方向の分散幅Ｌ４（図４参照）が、腹側部Ａ及び背側部Ｂそれぞれのおむつ長手方向（Ｙ方向）の長さＬａ，Ｌｂ（図３参照）の５〜５０％であることが好ましく、１５〜４５％であることがより好ましい。また、分散幅Ｌ４は、１０〜６０ｍｍ、特に２０〜４５ｍｍであることが好ましい。
【００２５】
本実施形態のおむつ１におけるウエスト弾性伸縮部４においては、外装体３を構成する２枚のシート３１，３２間が、図５に示すように、散点状に形成された多数の第２接合部４２で部分的に接合されている。
また、それらの第２接合部４２によって、おむつ縦方向（Ｙ方向）に直列した複数の第２接合部４２からなる縦接合部列４２Ｌが、おむつ幅方向（Ｘ方向）に間隔を開けて複数列形成されている。本実施形態のおむつ１においては、腹側部Ａ及び背側部Ｂそれぞれにおける左右のサイドシール１１，１１間の略全域に亘って、縦接合部列４２Ｌが分布している。
また、ウエスト弾性伸縮部４における第２接合部４２によって、複数個の第２接合部４２がおむつ幅方向（Ｘ方向）に並んでなる横接合部列４２Ｐが、おむつ縦方向（Ｙ方向）に間隔を設けて複数列形成されている。
【００２６】
ウエスト弾性伸縮部４には、複数本のウエスト弾性部材４１が、おむつ幅方向（Ｘ方向）に亘って配されており、これらの収縮によって、図６に示すように、少なくとも自然状態においては、外装体３における縦接合部列４２Ｌ，４２Ｌ間に、複数本のウエスト弾性部材４１に亘って連続して延びる襞４３が形成されるようになされている。
襞４３は、図示しないが、外装体３の内外面それぞれに形成されており、外装体３の外面側の襞は、外層シート３１が、ウエスト弾性部材４１から離れる方向に膨出して形成され、外装体３の内面側の襞は、内層シート３２及びこれに積層された外層シート３１の折り返し部分３５が、ウエスト弾性部材４１から離れる方向に一体的に膨出して形成されている。
【００２７】
本実施形態におけるウエスト弾性部材４１は、最もウエスト開口部の周縁端１２ａ寄りに配されたものを除いて、おむつ縦方向に隣接する接合部４２，４２間に、両接合部に固定されないように配されている。最もウエスト開口部の周縁端１２ａ寄りに配されたウエスト弾性部材４１も、ウエスト開口部の周縁端１２ａと、該周縁端１２ａに最も近い第２接合部４２との間に、第２接合部４２に固定されないように配されている。従って、本実施形態におけるウエスト弾性部材４１は、何れも、サイドシール部１１，１１においてシート３１，３２間に固定されている一方、両サイドシール部１１，１１間においては、シート３１，３２の何れにも固定されていない。
ウエスト弾性部材４１が、第２接合部４２に固定されていないことによって、襞４３の変形自由度が向上し、クッション性や柔らかさや良好な通気性等がウエスト弾性伸縮部４に得られる。
【００２８】
ウエスト弾性伸縮部４に配されるウエスト弾性部材４１の本数は、２本以上であることが好ましく、より好ましくは３〜１５本程度、更に好ましくは４〜１０本である。また、おむつ縦方向に隣接する接合部４２，４２間に、両接合部に固定されないように配されたウエスト弾性部材４１も、２本以上であることが好ましく、より好ましくは３〜１５本程度、更に好ましくは４〜１０本である。おむつ縦方向に形成される第２接合部の横接合部列４２Ｌの本数は、３本以上であることが好ましく、より好ましくは４〜１６本程度、更に好ましくは５〜１７本である
【００２９】
本実施形態におけるパターン接合部５は、腹側部Ａ及び背側部Ｂそれぞれにおいて、ウエスト弾性伸縮部４よりも股下部Ｃ側に形成されている。パターン接合部５は、少なくとも、腹側部Ａ又は背側部Ｂにおけるサイド部Ｓ、即ち、吸収性本体２の両側縁それぞれの位置より幅方向外方であって、サイドシール部の内側に形成されていることが好ましい。本実施形態におけるパターン接合部５は、接合部５２においてシート３１，３２間が接合している一方、接合部５２以外においては、シート３１，３２間は接合されていない。
【００３０】
パターン接合部５においては、外装体３を構成する２枚のシート３１，３２間が、図５に示すように、散点状に形成された多数の接合部５２で部分的に接合されている。また、パターン接合部５には、弾性部材が配されていない。
本実施形態のおむつ１においては、それらの接合部５２によって、おむつ縦方向（Ｙ方向）に直列した複数の接合部５２からなる縦接合部列５２Ｌが、おむつ幅方向（Ｘ方向）に間隔を開けて複数列形成されている。本実施形態のおむつ１においては、腹側部Ａ及び背側部Ｂそれぞれにおける左右のサイドシール１１，１１間の略全域に亘って、縦接合部列５２Ｌが分布している。
【００３１】
また、パターン接合部５における接合部５２によって、複数個の接合部５２がおむつ幅方向（Ｘ方向）に並んでなる横接合部列５２Ｐが、おむつ縦方向（Ｙ方向）に間隔を設けて複数列形成されている。
ウエスト弾性伸縮部４における横接合部列４２Ｐ間には、ウエスト弾性部材が配されていたのに対して、パターン接合部５における横接合部列５２Ｐ間には、弾性部材、特におむつ幅方向に延びる弾性部材は配されていない。
【００３２】
本実施形態のおむつ１は、従来のパンツ型使い捨ておむつと同様に着脱することができる。おむつ１を、幼児が自分で履いたり、その保護者（親等）が履かせる場合、レッグ開口部１３，１３に脚を通した後、おむつを引き上げる方法が一般的であるが、その際、ウエスト弾性伸縮部４の下あたりを指に引っ掛けたり、手で摘んで持ち上げることが多い。
本実施形態のおむつ１は、ウエスト弾性伸縮部４の下にパターン接合部５を有し、パターン接合部５は、外装体３を構成する２枚のシート３１，３２間が、散点状に形成された多数の接合部５２で接合されており且つ弾性部材が配されていないため、シート間をホットメルト接着剤をべた塗りして接合した場合や弾性部材を収縮させてギャザーを形成させた場合とは異なり、指を引っ掛けたり手で摘んだ際に、ごわごわした感触や硬い感触を与えることを防止でき、下着のパンツに近い、ごわごわしない柔らかな感触が得られる。また、外観的にも、下着のパンツに近い外観が得られる。
【００３３】
また、２枚のシート３１，３２間が全く接合されていない場合には、指に引っ掛けたり、手で摘んで持ち上げる際に、両シートの何れか一方、特におむつ外面を形成する外層シート３１のみが上方に引き上げられた感触を与える場合があり、その場合には、幼児や保護者が、おむつ１を、しっかりと引き上げていないといった不安感を感じる場合や、しっかり引き上げた感触を得るまでの操作に手間がかかる場合がある。
本実施形態のおむつ１においては、２枚のシート３１，３２間が、散点状に形成された多数の接合部５２で接合されているため、両者を一体的に引き上げることができ、そのような実感も得られるため、おむつ１の装着に際し、しっかりと引き上げられていないという不安感を与えること等を防止することができる。
【００３４】
特に、本実施形態においては、ウエスト弾性伸縮部４が上述した構成を有し、ウエスト弾性伸縮部４が収縮して上記の襞４３が生じることから、２枚のシート３１，３２間が全く接合されていない場合には、外側のシート３１に浮きが生じやすい。そのため、おむつを引き上げる際に、しっかりと引き上げていないといった不安感を与えたり、場合によっては、引き上げる際に外側のシート３１に破れが生じる可能性も高まるが、上述したように、２枚のシート３１，３２間が散点状のパターンで接合されたパターン接合部５を有することによって、ウエスト弾性伸縮部４に上記の襞４３によって良好な通気性を確保しつつ、そのような不都合を効果的に防止することができる。
【００３５】
また、本実施形態のおむつ１においては、図５に示すように、パターン接合部５における縦接合部列５２Ｌとウエスト弾性伸縮部４における縦接合部列４２Ｌとが、おむつ縦方向に一列をなすように形成されている。パターン接合部５における縦接合部列５２Ｌ間に対応する肌当接面側には、着用者の肌との間に隙間が生じやすいが、このような構成を有すると、その隙間と、ウエスト弾性伸縮部４の肌当接面側の襞間に生じる隙間とが連通し易くなり、おむつ１内の湿気を効果的に外部に放出することができる。
【００３６】
また、本実施形態のおむつ１においては、上述したように、パターン接合部５に、横接合部列５２Ｐがおむつ縦方向に間隔を設けて複数列形成されているため、パターン接合部５が、横接合部列５２Ｐで折れ曲がり易く、そのため、おむつ１を装着する際に、パターン接合部５に指を引っ掛かり易くなる。そのため、引き上げ操作を容易に行うことができると共に、パターン接合部５に、指を引っかけたり摘んで引き上げ操作を行い易くなるため、おむつを履く際に、上述した良好な感触を着用者が得られる可能性が高くなる。
【００３７】
腹側部Ａ及び背側部Ｂそれぞれのパターン接合部５における接合部５２のＹ方向の分散幅Ｌ５（図４参照）は、腹側部Ａ及び背側部Ｂそれぞれのおむつ長手方向（Ｙ方向）の長さＬａ，Ｌｂ（図３参照）の１０〜８０％であることが好ましく、２０〜６０％であることがより好ましい。また、同分散幅Ｌ５は、２０〜１００ｍｍ、特に３０〜８０ｍｍであることが好ましい。
また、パターン接合部５に横接合部列５２Ｌを形成する場合の横接合部列５２Ｌの本数は、腹側部Ａ及び背側部Ｂのそれぞれについて、２本以上であることが好ましく、より好ましくは３又は４本〜５０本であり、更に好ましくは５〜５０本、更に好ましくは１０〜３０本である。
【００３８】
本実施形態のおむつ１のウエスト弾性伸縮部４において、おむつ１の幅方向（Ｘ方向）における第２接合部４２のピッチＰ２（図５参照）は、1〜２０ｍｍ、特に３〜１０ｍｍであることが好ましく、同方向における各接合部４２の長さＬ２（図５参照）は、０．１〜５ｍｍ、特に０．２〜１．５ｍｍであることが好ましい。前記ピッチＰ２と前記長さＬ２との比（Ｐ２／Ｌ２）は、１．１〜２００、特に２〜５０であることが好ましい。
また、おむつ１の縦方向における接合部４２のピッチＰ３（図５参照）は、１〜４０ｍｍ、特に２〜１５ｍｍであることが好ましく、各接合部４２の同方向の長さＬ３（図５参照）は、０．５〜２０ｍｍ、特に１〜１０ｍｍであることが好ましい。また、前記ピッチＰ３と前記長さＬ３との比（Ｐ３／Ｌ３）は、１．０５〜８０、特に１．０５〜１５であることが好ましい。
【００３９】
本実施形態のおむつ１のパターン接合部５において、おむつ１の幅方向（Ｘ方向）における接合部５２のピッチＰ６（図５参照）は、１〜２０ｍｍ、特に３〜１０ｍｍであることが好ましく、同方向における各接合部５２の長さＬ６（図５参照）は、０．１〜５ｍｍ、特に０．２〜１．５ｍｍであることが好ましい。前記ピッチＰ６と前記長さＬ６との比（Ｐ６／Ｌ６）は、１．１〜２００、特に２〜５０であることが好ましい。
また、おむつ１の縦方向における接合部５２のピッチＰ７（図５参照）は、１〜４０ｍｍ、特に２〜１５ｍｍであることが好ましく、各接合部５２の同方向の長さＬ７（図５参照）は、０．５〜２０ｍｍ、特に１〜１０ｍｍであることが好ましい。また、前記ピッチＰ７と前記長さＬ７との比（Ｐ７／Ｌ７）は、１．０５〜８０、特に１．０５〜１５であることが好ましい。
【００４０】
また、ウエスト弾性伸縮部４における第２接合部４２とパターン接合部５における接合部５２は、長さＬ２と長さＬ４とが同じであることが好ましく、長さＬ３と長さＬ５とが同じであることが好ましく、ピッチＰ２とピッチＰ４とが同じであることが好ましく、ピッチＰ３とピッチＰ５とが同じであることが好ましい。
【００４１】
なお、おむつ１のウエスト弾性伸縮部４においては、おむつの内外面それぞれに襞４３及び同様の襞が、外装体３の両面それぞれに突出するように形成されている。襞４３の突出方向の先端部には、好ましくは断面円弧状の凸曲面が形成されており、この凸曲面が、外装体３の長手方向（Ｙ方向）に連続的に延びている。襞４３は、外装体３の幅方向（Ｘ方向）において相隣接する接合部４２，４２間に形成されており、襞４３，４３間には溝部が形成されてている。各襞４３は、弾性部材４１と重なる箇所において分断されることなく、複数本の弾性部材４１に亘って延びており、おむつ１の縦方向（Ｙ方向）に連続的に延びている。襞４３は、複数本の弾性部材４１と交差するように、おむつ縦方向に延びていることが好ましい。
尚、外装体３におけるレッグ開口部の周縁部には、レッグ弾性部材３３Ａ，３３Ｂが配されてレッグギャザーが形成されるようになされている。レッグ弾性部材３３Ａ，３３Ｂは、接着剤を介して、外層シート３１と内層シート３２との間に伸長状態で固定されている。
【００４２】
本実施形態のおむつ１は、図３に示すように、腹側部Ａから股下部Ｃにかけての領域及び背側部Ｂから股下部Ｃにかけての領域に、それぞれ、吸収性本体２と重なる部位においてシート３１，３２間が、散点状に形成された多数の接合部６１で融着された第２パターン接合部６を有している。融着の方法としては、ヒートエンボス、超音波エンボス、高周波エンボス等が挙げられる。第２パターン接合部６は、接合部６１が、上述したパターン接合部５とは異なるパターンで形成されている。第２パターン接合部６の接合部６１は、おむつ幅方向に直列した横接合部列を形成しているが、それらの横接合部列は、横接合部列間に隙間がなく、おむつ縦方向の一部同士が重複するように形成されている。第２パターン接合部６にも、弾性部材、特におむつ幅方向に延びる弾性部材は配されていない。
【００４３】
おむつの縦方向における第２パターン接合部６を有する部位は、左右のレッグ開口部の周縁部間におけるシート３１，３２間が、手で引っ張れば直ぐに剥がれる程度の強度しかないように低坪量のホットメルト接着剤で固定されていることが通気性や柔らかさの観点から好ましいが、吸収性本体２と重なる部分には、第２パターン接合部６を形成し、シート３１，３２間をより強固に固定することが、外層シート３１を破れ難くしたり、２枚のシート（不織布等）３１，３２間の接触状態を安定に維持することから好ましい。接触状態の維持は、例えば、外装体の内側にキャラクターや図形等を表示した場合に、それが外装体を通して外部から見えやすくなるので好ましい。なお、左右のレッグ開口部の周縁部それぞれにおいては、レッグ弾性部材３３Ａ（３３Ｂ）が、第２パターン接合部６よりも高坪量に塗工された接着剤でシート３１，３２間に強固に固定されている。
【００４４】
外層シート３１及び内層シート３２としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層シート又は積層シートであることが好ましい。外層シート３１及び内層シート３２として用いる不織布は、撥水性の不織布であることが、漏れ出した尿の被害を低減する観点から好ましい。
弾性部材３３Ａ，３３Ｂ、４１の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を用いることができる。
【００４５】
接合部５２及び第２接合部４２は、２枚のシート３１，３２を熱融着させて形成されていることが好ましい。熱融着の方法としては、ヒートエンボス、超音波エンボス、高周波エンボス等が挙げられる。
【００４６】
上述した第１実施形態のパンツ型使い捨ておむつ１は、外観、特に前身頃及び／又は背側部のサイド部分Ｓにおけるウエスト弾性伸縮部及びパターン接合部の外観が意匠的にも優れている。
例えば、図８のＤ−Ｄ線，Ｅ−Ｅ線間且つＦ−Ｆ線，Ｇ−Ｇ線間は、前身頃のサイド部分Ｓにおけるウエスト弾性伸縮部及びパターン接合部を、部分意匠を受けようとする部分とする意匠登録出願に変更する場合の「部分意匠を受けようとする部分」に相当する。
図８及び図９は、上述したパンツ型使い捨ておむつ１に、具体的な寸法及び形態を付与した発明品を示す図である。図８及び図９は、弾性部材を伸長させ、おむつの前身頃及び後見頃を平面状に拡げた状態を示す。
図９（ａ）は、右側面図であるが、左側面図は、右側面図と対称に表れる。図１及び図６は、当該発明品の着用状態における全体又は一部を示す参考図ともなる。
【００４７】
以上、本発明をその好ましい実施形態に基づき説明したが、本発明は前記実施形態に制限されるものではない。
例えば、上述した実施形態のおむつ１においては、外層シート３１の折り返し部分３５は、ウエスト弾性伸縮部４においては、おむつ幅方向に亘って細幅に塗工された２条の接着剤３７，３７により、内層シート３２のおむつ内面側の面に部分的に接合されている一方、パターン接合部５においては、複数本の横接合部列に亘るように広幅で塗工された接着剤３７により、内層シート３２のおむつ内面側の面に略全域に接合されているが、図７（ａ）に示すように、外層シート３１の折り返し部分３５を、パターン接合部５におけるおむつ内面側に接合しない構成とすることもできる。
【００４８】
また、図７（ｂ）に示すように、外層シート３１，内層シート３２及び外層シートの折り返し部分３５の合計３枚のシートに一体的にエンボス加工を施し、これら３枚のシートが接合された接合部５２’及び第２接合部４２’を形成しても良い。
また、内層シート３２の折り返し部分３６の長さを、外層シート３１の折り返し部分３５の長さと同程度としても良いし、図７（ｃ）に示すように、内層シート３２の折り返し部分３６及び外層シート３１の折り返し部分３５の両者をなくすこともできる。
また、接合部５２及び第２接合部４２それぞれの配列パターンは適宜変更することができる。また、接合部５２及び第２接合部４２それぞれの形状は、矩形状、長円状、円状、菱形状等の適宜の形状とすることができる。接合部４２や第２接合部４２の配列パターンや個々の接合部の形状は、例えば、特開２００５−０８０８５９号公報に記載のものと同様とすることもできる。
【００４９】
また、上述した実施形態においては、腹側部Ａ及び背側部Ｂに同様の態様でウエスト弾性伸縮部及びその下に配されたパターン接合部が形成されていたが、それに代えて、腹側部Ａ及び背側部Ｂの何れか一方のみに、ウエスト弾性伸縮部及びその下に配されたパターン接合部が上述した態様で配されていても良い。
【符号の説明】
【００５０】
１  パンツ型使い捨ておむつ
１１  サイドシール部
１２  ウエスト開口部
１３  レッグ開口部
２  吸収性本体
２１  表面シート
２２  裏面シート
２３  吸収性コア
３  外装体
３１  外層シート
３２  内層シート
４  ウエスト弾性伸縮部
４１  ウエスト弾性部材
４２  第２接合部
４３  襞
５  パターン接合部
５２  接合部
６  第２パターン接合部
６１  接合部
Ａ  腹側部
Ｂ  背側部
Ｃ  股下部
【図１】
2011015821.tif 000003
【図２】
2011015821.tif 000004
【図３】
2011015821.tif 000005
【図４】
2011015821.tif 000006
【図５】
2011015821.tif 000007
【図６】
2011015821.tif 000008
【図７】
2011015821.tif 000009
【図８】
2011015821.tif 000010
【図９】
2011015821.tif 000011